【手続補正書】
【提出日】平成16年11月2日(2004.11.2)
【手続補正１】
【補正対象書類名】明細書
【補正対象項目名】特許請求の範囲
【補正方法】変更
【補正の内容】
【特許請求の範囲】
【請求項１】
燃料電池システムであって、
反応ガスの２つの流れを反応させることにより作動中に電気エネルギーを生成し、燃料電池排ガス流も生成する燃料電池スタックと、
燃料電池排ガス流を受け取るよう配置され、作動中に燃料電池排ガス流の少なくとも一部を酸化ガス流中で酸化させる、酸化ユニットと、
酸化ユニットの温度を感知するよう配置された温度センサと、
前記燃料電池排ガス流の一部を酸化させるのに必要な理論量より多い酸化ガス流の量を酸化ユニットに供給する入力システムであって、供給される酸化ガス流の量と理論量との間の所望の差を達成するように供給される酸化ガスの量を制御することで、酸化ユニットの温度に応答する入力システムと、
酸化ガス流を供給する供給源と、
酸化ユニットの温度に応じて前記供給源により供給された酸化ガス流の量を制御するコントローラと、を備え、
前記コントローラが、理論量の酸化ガス流を決定するための理論表を格納し、コントローラは、供給源に指令して酸化ユニットに理論量を超える酸化ガス流を供給させるための制御信号を生成する場合に、理論表を使用する、
燃料電池システム。
【請求項２】
入力システムは、酸化ユニットの温度に応じて酸化ガス流の量を制御して、酸化ユニットの温度を目標温度に維持する、請求項１に記載の燃料電池システム。
【請求項３】
温度センサは酸化ユニットの温度に対応する温度信号を生成し、
コントローラは前記温度信号に基づいて制御信号を生成するようにプログラムされたプロセッサを備え、
供給源は前記制御信号に応じて酸化ガス流を供給する、請求項１に記載の燃料電池システム。
【請求項４】
燃料電池システムによって生成された電力の量を測定し、その電力の量に対応する負荷信号を生成する計量器をさらに備え、
理論表は、負荷信号を理論量の酸化ガス流に関連づけ、
コントローラは、供給源に指令して酸化ユニットに理論量を超える酸化ガス流を供給させるための制御信号を生成する場合に、負荷信号及び理論表を使用する、請求項１に記載の燃料電池システム。
【請求項５】
供給源が送風機である、請求項１に記載の燃料電池システム。
【請求項６】
酸化ガス流が空気流である、請求項１に記載の燃料電池システム。
【請求項７】
反応ガスの２つの流れを反応させることにより燃料電池スタック中の電気エネルギーを生成し、燃料電池排ガス流を生成する工程と、
酸化ユニットの中で酸化ガス流を使用して、燃料電池排ガス流の少なくとも一部を酸化する工程と、
酸化ユニットの温度を感知する工程と、
作動中に燃料電池排ガス流の前記一部を酸化させるのに必要な理論量より多い酸化ガス流の量を、酸化ユニットに供給する工程と、
供給される酸化ガス流の量と理論量との間の所望の差を達成するように供給される酸化ガスの量を制御することで、感知した温度に応答する工程と、
から成り、前記供給される酸化ガスの量を制御する工程が、
理論量の酸化ガス流を決定するための理論表を格納する工程と、
酸化ユニットに理論量を超える酸化ガス流を供給するための制御信号を生成する場合に、前記理論表を使用する工程と、
をさらに含む方法。
【請求項８】
酸化ユニットの温度に応じて酸化ガス流の量を制御して、酸化ユニットの温度を目標温度に維持する工程をさらに含む、請求項７に記載の方法。
【請求項９】
酸化ユニットの温度に対応する温度信号を生成する工程と、
前記温度信号に基づいた制御信号を生成する工程と、
前記制御信号に応じて酸化ガス流を供給する工程とをさらに含む、請求項７に記載の方法。
【請求項１０】
システムによって生成された電力の量を測定する工程と、
その電力の量に対応する負荷信号を生成する工程であって、理論表は負荷信号を理論量の酸化ガス流に関連づけるものである工程と、
負荷信号及び理論表に基づく制御信号を生成し、酸化ユニットに、理論量を超える酸化ガス流を供給する工程とをさらに含む、請求項７に記載の方法。
【請求項１１】
酸化ガス流が空気流である、請求項７に記載の方法。
【手続補正２】
【補正対象書類名】明細書
【補正対象項目名】０００５
【補正方法】変更
【補正の内容】
【０００５】
【課題を解決するための手段】
上記問題点を解決するために、請求項１に記載の発明は、反応ガスの２つの流れを反応させることにより作動中に電気エネルギーを生成し、燃料電池排ガス流も生成する燃料電池スタックと、燃料電池排ガス流を受け取るよう配置され、作動中に燃料電池排ガス流の少なくとも一部を酸化ガス流中で酸化させる、酸化ユニットと、酸化ユニットの温度を感知するよう配置された温度センサと、前記燃料電池排ガス流の一部を酸化させるのに必要な理論量より多い酸化ガス流の量を酸化ユニットに供給する入力システムであって、供給される酸化ガス流の量と理論量との間の所望の差を達成するように供給される酸化ガスの量を制御することで、酸化ユニットの温度に応答する入力システムと、酸化ガス流を供給する供給源と、酸化ユニットの温度に応じて前記供給源により供給された酸化ガス流の量を制御するコントローラと、を備え、前記コントローラが、理論量の酸化ガス流を決定するための理論表を格納し、コントローラは、供給源に指令して酸化ユニットに理論量を超える酸化ガス流を供給させるための制御信号を生成する場合に、理論表を使用する、燃料電池システムを要旨とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項３に記載の発明は、請求項１に記載の燃料電池システムにおいて、温度センサは酸化ユニットの温度に対応する温度信号を生成し、コントローラは前記温度信号に基づいて制御信号を生成するようにプログラムされたプロセッサを備え、供給源は前記制御信号に応じて酸化ガス流を供給することを要旨とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項４に記載の発明は、請求項１に記載の燃料電池システムにおいて、燃料電池システムによって生成された電力の量を測定し、その電力の量に対応する負荷信号を生成する計量器をさらに備え、理論表は、負荷信号を理論量の酸化ガス流に関連づけ、コントローラは、供給源に指令して酸化ユニットに理論量を超える酸化ガス流を供給させるための制御信号を生成する場合に、負荷信号及び理論表を使用することを要旨とする。
【手続補正７】
【補正対象書類名】明細書
【補正対象項目名】００１１
【補正方法】変更
【補正の内容】
【００１１】
請求項５に記載の発明は、請求項１に記載の燃料電池システムにおいて、供給源が送風機であることを要旨とする。
請求項６に記載の発明は、請求項１に記載の燃料電池システムにおいて、酸化ガス流が空気流であることを要旨とする。
【手続補正８】
【補正対象書類名】明細書
【補正対象項目名】００１２
【補正方法】変更
【補正の内容】
【００１２】
請求項７に記載の発明は、反応ガスの２つの流れを反応させることにより燃料電池スタック中の電気エネルギーを生成し、燃料電池排ガス流を生成する工程と、酸化ユニットの中で酸化ガス流を使用して、燃料電池排ガス流の少なくとも一部を酸化する工程と、酸化ユニットの温度を感知する工程と、作動中に燃料電池排ガス流の前記一部を酸化させるのに必要な理論量より多い酸化ガス流の量を、酸化ユニットに供給する工程と、供給される酸化ガス流の量と理論量との間の所望の差を達成するように供給される酸化ガスの量を制御することで、感知した温度に応答する工程と、から成り、前記供給される酸化ガスの量を制御する工程が、  理論量の酸化ガス流を決定するための理論表を格納する工程と、酸
化ユニットに理論量を超える酸化ガス流を供給するための制御信号を生成する場合に、前記理論表を使用する工程と、をさらに含む方法を要旨とする。
【手続補正９】
【補正対象書類名】明細書
【補正対象項目名】００１３
【補正方法】変更
【補正の内容】
【００１３】
請求項８に記載の発明は、請求項７に記載の方法において、酸化ユニットの温度に応じて酸化ガス流の量を制御して、酸化ユニットの温度を目標温度に維持する工程をさらに含むことを要旨とする。
【手続補正１０】
【補正対象書類名】明細書
【補正対象項目名】００１４
【補正方法】変更
【補正の内容】
【００１４】
請求項９に記載の発明は、請求項７に記載の方法において、酸化ユニットの温度に対応する温度信号を生成する工程と、前記温度信号に基づいた制御信号を生成する工程と、前記制御信号に応じて酸化ガス流を供給する工程とをさらに含むことを要旨とする。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
請求項１０に記載の発明は、請求項７に記載の方法において、システムによって生成された電力の量を測定する工程と、その電力の量に対応する負荷信号を生成する工程であって、理論表は負荷信号を理論量の酸化ガス流に関連づけるものである工程と、負荷信号及び理論表に基づく制御信号を生成し、酸化ユニットに、理論量を超える酸化ガス流を供給する工程とをさらに含むことを要旨とする。
【手続補正１３】
【補正対象書類名】明細書
【補正対象項目名】００１７
【補正方法】変更
【補正の内容】
【００１７】
請求項１１に記載の発明は、請求項７に記載の方法において、酸化ガス流が空気流であることを要旨とする。